(57)【要約】【課題】録画番組の再生開始時に、再生時間中に放送予定の番組情報を表示してユーザに認識させる、放送番組の見逃しを防止する。【解決手段】録画番組を再生する際に、録画管理データに基づき算出した録画の残再生時間と、番組情報管理部１０３が管理する番組情報データの番組開始時刻、継続時間、現在時刻から録画番組再生時間内に放送予定の番組を検索し、その結果を表示する。また、録画再生中に、再生終了時刻が変更になった場合、再生制御部１０７が録画の残再生時間を算出し、番組情報管理部１０３が管理する番組情報データ内の番組開始時刻、継続時間、現在時刻を用いて、残再生時間内に放送予定の番組を再検索する。そして、比較部１１４がメモリ１１２に保存してある前回の検索結果と比較し差分があることを検出した場合、表示処理部１１１が差分内容を構築し表示させる。【選択図】図１
2010161487.tif 000002
【特許請求の範囲】
【請求項１】
放送される番組の映像データを受信して蓄積部に蓄積するとともに、当該蓄積部に蓄積された番組の映像データの再生が可能な放送受信装置であって、
放送される番組の番組名及び番組の放送時間に関する情報を少なくとも含む番組情報データを取得し、管理する管理手段と、
ユーザからの指示によって、前記蓄積部に蓄積された番組の映像データの通常再生及び特殊再生を実行する再生手段と、
ユーザによって再生を指示された映像データを最後まで再生した場合の時間である残再生時間を算出する算出手段と、
前記算出手段で算出された残再生時間と前記番組情報データとを用いて、再生を指示された映像データを最後まで再生した場合に、視聴不可能となる放送番組を検索する検索手段と、
前記検索手段の検索結果を前回の検索結果と比較し、視聴不可能である番組が変化したか否かを判定する比較手段と、
番組の映像データの再生が指示された場合、前記検索手段で検索された視聴不可能となる放送番組を示す画面を前記番組情報データを用いて生成し、表示部に表示する表示手段と、を有し、
前記算出手段は、前記再生手段によって特殊再生が実行されたことによって変化した残再生時間を算出し、
前記表示手段は、変化した残再生時間を用いて前記検索手段が検索した結果得られた視聴不可能となる番組が、前に検索した視聴不可能となる番組ではない場合、特殊再生によって視聴不可能であった番組に変化が生じたことをユーザに通知するための画面を生成し、前記表示部に表示することを特徴とする放送受信装置。
【請求項２】
放送される番組を録画予約し、予約された番組に関する番組情報データを管理する予約制御手段を有し、
前記予約制御手段は、録画予約番組の番組情報データを用いて、前記検索手段で検索された視聴不可能となる番組に録画予約番組が含まれている場合、当該録画予約番組を視聴不可能となる番組から除く処理を実行する請求項１に記載の放送受信装置。
【請求項３】
放送される番組の映像データを受信して蓄積部に蓄積するとともに、当該蓄積部に蓄積された番組の映像データの再生が可能な放送受信装置の制御方法であって、
放送される番組の番組名及び番組の放送時間に関する情報を少なくとも含む番組情報データを取得し、管理する管理工程と、
ユーザからの指示によって、前記蓄積部に蓄積された番組の映像データの通常再生及び特殊再生を実行する再生工程と、
ユーザによって再生を指示された映像データを最後まで再生した場合の時間である残再生時間を算出する算出工程と、
前記算出工程で算出された残再生時間と前記番組情報データとを用いて、再生を指示された映像データを最後まで再生した場合に、視聴不可能となる放送番組を検索する検索工程と、
前記検索工程での検索結果を前回の検索結果と比較し、視聴不可能である番組が変化したか否かを判定する比較工程と、
番組の映像データの再生が指示された場合、前記検索工程で検索された視聴不可能となる放送番組を示す画面を前記番組情報データを用いて生成し、表示部に表示する表示工程と、を有し、
前記算出工程では、前記再生工程で特殊再生が実行されたことによって変化した残再生時間を算出し、
前記表示工程では、変化した残再生時間を用いて前記検索工程で検索された結果得られた視聴不可能となる番組が、前に検索された視聴不可能となる番組ではない場合、特殊再生によって視聴不可能であった番組に変化が生じたことをユーザに通知するための画面を生成し、前記表示部に表示することを特徴とする放送受信装置の制御方法。
【請求項４】
放送される番組を録画予約し、予約された番組に関する番組情報データを管理する予約制御工程を有し、
前記予約制御工程では、録画予約番組の番組情報データを用いて、前記検索工程で検索された視聴不可能となる番組に録画予約番組が含まれている場合、当該録画予約番組を視聴不可能となる番組から除く処理を実行する請求項３に記載の放送受信装置の制御方法。
【発明の詳細な説明】
【技術分野】
【０００１】
本発明は、受信した放送番組を蓄積し、蓄積した放送番組を再生可能な放送受信装置およびその制御方法に関する。
【背景技術】
【０００２】
ＨＤＤ（Ｈａｒｄ Ｄｉｓｋ Ｄｒｉｖｅ）などの受信した放送番組を録画（蓄積）する手段を備えた放送受信装置において、録画した番組を再生視聴している際、その番組に熱中するあまり、同時刻に放送されている番組を見逃してしまうことがあった。かかる問題を解決するために、実際に放送される番組を表示するＥＰＧ（Ｅｌｅｃｔｒｏｎｉｃ
Ｐｒｏｇｒａｍ Ｇｕｉｄｅ)と録画した放送番組リストとを、現在時刻を基準として同じ画面に表示する技術が提案されている（たとえば、特許文献１を参照。）。
【０００３】
【特許文献１】特開２００４−３２８２４４号公報
【発明の開示】
【発明が解決しようとする課題】
【０００４】
上記従来技術では、ユーザは視聴したい放送番組の時間帯を避けて録画番組を選択し、視聴することは可能である。しかしながら、録画番組の視聴最中に、ユーザが巻き戻しや一時停止等の操作を行ったために、録画番組の再生終了時刻が当初予定より遅れた場合、次放送予定の番組を見逃してしまうというおそれがある。また、早送りなどの操作を行った場合には、新たに視聴可能になる番組が発生する可能性がある。しかし、上記従来技術はこうした状況におけるユーザへの通知を考慮していないため、見逃すおそれが生じた番組や、新たに視聴可能になった番組が発生しても、それをユーザに通知することが無い。
【０００５】
本発明は、上述した従来技術による問題点を解消するため、録画番組再生中に視聴が可能になった放送番組や視聴不可能になった放送番組が発生した場合に、そのような番組の存在をユーザに認識させることが可能な放送受信装置およびその制御方法を提供する。
【課題を解決するための手段】
【０００６】
上述した課題を解決し、目的を達成するため、本発明にかかる放送受信装置は、放送される番組の映像データを受信して蓄積部に蓄積するとともに、当該蓄積部に蓄積された番組の映像データを再生可能な放送受信装置であって、放送される番組の番組名及び番組の放送時間に関する情報を少なくとも含む番組情報データを取得し、管理する管理手段と、ユーザからの指示によって、前記蓄積部に蓄積された番組の映像データの通常再生及び特殊再生を実行する再生手段と、ユーザによって再生を指示された映像データを最後まで再生した場合の時間である残再生時間を算出する算出手段と、前記算出手段で算出された残再生時間と前記番組情報データとを用いて、再生を指示された映像データを最後まで再生した場合に、視聴不可能となる放送番組を検索する検索手段と、前記検索手段の検索結果を前回の検索結果と比較し、視聴不可能である番組が変化したか否かを判定する比較手段と、番組の映像データの再生が指示された場合、前記検索手段で検索された視聴不可能となる放送番組を示す画面を前記番組情報データを用いて生成し、表示部に表示する表示手段と、を有し、前記算出手段は、前記再生手段によって特殊再生が実行されたことによって変化した残再生時間を算出し、前記表示手段は、変化した残再生時間を用いて前記検索手段が検索した結果得られた視聴不可能となる番組が、前回検索した視聴不可能となる番組と異なる場合、特殊再生によって視聴不可能であった番組に変化が生じたことをユーザに通知するための画面を生成し、前記表示部に表示することを特徴とする。
【０００７】
また、本発明にかかる放送受信装置の制御方法は、放送される番組の映像データを受信して蓄積部に蓄積するとともに、当該蓄積部に蓄積された番組の映像データを再生可能な放送受信装置の制御方法であって、放送される番組の番組名及び番組の放送時間に関する情報を少なくとも含む番組情報データを取得し、管理する管理工程と、ユーザからの指示によって、前記蓄積部に蓄積された番組の映像データの通常再生及び特殊再生を実行する再生工程と、ユーザによって再生を指示された映像データを最後まで再生した場合の時間である残再生時間を算出する算出工程と、前記算出工程で算出された残再生時間と前記番組情報データとを用いて、再生を指示された映像データを最後まで再生した場合に、視聴不可能となる放送番組を検索する検索工程と、前記検索工程での検索結果を前回の検索結果と比較し、視聴不可能である番組が変化したか否かを判定する比較工程と、番組の映像データの再生が指示された場合、前記検索工程で検索された視聴不可能となる放送番組を示す画面を前記番組情報データを用いて生成し、表示部に表示する表示工程と、を有し、前記算出工程では、前記再生工程で特殊再生が実行されたことによって変化した残再生時間を算出し、前記表示工程では、変化した残再生時間を用いて前記検索工程で検索された結果得られた視聴不可能となる番組が、前回検索された視聴不可能となる番組と異なる場合、特殊再生によって視聴不可能であった番組に変化が生じたことをユーザに通知するための画面を生成し、前記表示部に表示することを特徴とする。
【発明の効果】
【０００８】
本発明によれば、録画番組再生中に、ユーザ操作による録画再生終了時刻の変更が生じることに起因して視聴が不可能になった放送番組や視聴可能になった放送番組が発生した場合に、そのような番組の存在をユーザに認識させることが可能となる。
【発明を実施するための最良の形態】
【０００９】
以下、添付図面を参照して、本発明の好適な実施形態を詳細に説明する。
【００１０】
[第１の実施形態]
図１は、第１の実施形態にかかる放送受信装置の構成を示すブロック図である。この放送受信装置１００は、チューナー１０１と、信号処理部１０２と、番組情報管理部１０３と、デコード部１０４と、出力部１０５と、蓄積部１０６と、再生制御部１０７と、検索部１０８と、制御部１０９と、を備えている。さらに、この放送受信装置１００は、入力部１１０と、表示処理部１１１と、メモリ１１２と、録画管理データ生成部１１３と、比較部１１４と、を備えている。
【００１１】
制御部１０９は、放送受信装置１００全体の制御を司る。以下の処理は、制御部１０９の制御の下で実行される。チューナー１０１は、図示しないアンテナまたはケーブルなどを介して放送信号を受信する。信号処理部１０２は、チューナー１０１が受信した放送信号に対してチャンネル選局、復調処理等を実施し、映像データ、音声データ、番組情報データを分離抽出する。ここで、番組は前記映像データと音声データとから構成される。また、番組情報データは、主に、ＳＤＴ（Service Description Table）、ＥＩＴ（Event
Information Table）等のデータを含んでいる。また、番組情報データはさらに、ＮＩＴ（Network
Information Table）、ＴＯＴ（Time Offset Table）等のデータを含んでいる。とくに、ＳＤＴには、放送チャンネルに相当するサービス名、サービス提供者等の情報が含まれている。ＥＩＴには、番組タイトルに相当するイベント名、イベントの開始時刻、継続時間等に関する情報が含まれている。ＮＩＴには、放送チャンネルの番号が含まれている。ＴＯＴには、現在の日付時刻に関する情報が含まれている。
【００１２】
前記映像データは、デコード部１０４においてデコード処理される。デコード処理された映像データは、出力部１０５からモニタ１２０に供給される。モニタ１２０は、供給された映像を表示する表示部として機能する。前記音声データは、デコード部１０４においてデコード処理される。デコード処理された音声データは、出力部１０５を介して図示しないスピーカ等の出力手段に供給され、この出力手段から音声出力される。また、前記番組情報データは、番組情報管理部１０３に供給される。番組情報管理部１０３は、前記番組情報データを用いて各放送番組開始時刻、継続時間、現在時刻などを把握し、管理する。
【００１３】
この放送受信装置１００では、制御部１０９の制御の下、信号処理部１０２において分離抽出された映像データ、音声データ、および番組情報データを蓄積部１０６に蓄積することができる。録画管理データ生成部１１３は、前記番組情報データを用いて録画する番組の番組名、当該番組の放送時間を含む番組情報と当該番組の録画時間とから構成される録画管理データを生成する。この録画管理データも、関係する録画番組とともに蓄積部１０６に蓄積することができる。
【００１４】
入力部１１０から蓄積した録画番組の再生指示が行なわれた場合は、蓄積部１０６に蓄積されている当該映像データおよび音声データの再生処理は再生制御部１０７が制御する。また、前記録画管理データに含まれる録画時間を参照して録画番組の残再生時間の算出を行う。この録画番組の残再生時間の算出は、録画番組再生中に番組の早送り、スキップ、巻き戻し、一時停止などといった、所謂特殊再生（トリックプレイ）によって再生終了時刻に変更が生じた場合に都度実行する。なお、算出する残再生時間は再生が終了するまでの残り時間としての値であるが、その残り時間を算出時点の時刻に加算して得られる再生終了予定時刻として管理することも可能である。再生制御部１０７は、蓄積部１０６に蓄積されている映像データおよび音声データをデコード部１０４に供給する。デコード部１０４では、当該映像データおよび音声データをデコード処理した後、出力部１０５に供給する。出力部１０５は映像信号をモニタ１２０に供給する。モニタ１２０は供給された映像信号を映像として表示する。また、出力部１０５は音声信号を図示しないスピーカ等の出力装置に供給する。前記出力装置は供給された音声信号を音声として出力する。
【００１５】
検索部１０８は、録画の再生が指示されると、再生制御部１０７が算出した残再生時間を取得する。ついで、番組情報管理部１０３が管理している番組情報データの番組開始時刻、継続時間、現在時刻を参照し、再生中の録画の終了時刻までに放送される番組を検索する。そして、検索部１０８は、検索結果を放送チャンネル、番組タイトル、番組開始時刻、継続時間を含む形で検索データとして構築し、メモリ１１２に保存する。表示処理部１１１は、前記検索データを基に検索結果リスト（詳細は後述）を作成する。そして、この検索結果リストを出力部１０５を介してモニタ１２０に表示させる。
【００１６】
また、比較部１１４は、検索部１０８が前記検索データを作成した後、再度新たに前記検索データを作成した場合に、それら二つの検索データに差分があるか否かを検出する。ここで、当該二つの検索データに差分がある場合は、表示処理部１１１が、それら二つの検索データの差分をとり、この結果から検索結果差分リスト（詳細は後述）を作成する。そして、この検索結果差分リストを出力部１０５を介してモニタ１２０に表示させる。
【００１７】
次に、本実施形態の放送受信装置１００の制御について説明する。まず、本実施形態の放送受信装置１００における通常の録画再生時の制御を説明する。図２は、本実施形態の放送受信装置１００における通常の録画再生時の制御手順を示すフローチャートである。
【００１８】
図２に示すフローチャートにおいて、まず、録画管理データを取得する（ステップＳ２０１）。具体的には、ユーザによって、入力部１１０から蓄積した録画番組の再生指示が行われると、再生制御部１０７が指定された録画番組の録画管理データを蓄積部１０６から取得する。なお、録画管理データは、番組情報管理部１０３が管理している番組情報データを用いて生成されたものであり、録画する番組の番組名、当該番組の放送時間を含む番組情報と当該番組の録画時間とから構成されている。
【００１９】
次に、残再生時間内に放送される番組を検索する（ステップＳ２０２）。具体的には、まず、再生制御部１０７が前記録画管理データから当該録画番組の残再生時間を算出する。例えば、録画管理データに総時間が３０分１５秒として記録された番組を初めて視聴する場合には、通常は先頭映像から再生を行うので残再生時間は３０分１５秒となる。また、過去に一度途中まで再生を行って停止した場合には、レジューム機能により、次の再生時には停止したシーンから再生を行うことが可能であるので、その場合には停止したシーンから最後までが残再生時間となる。次に、検索部１０８が、前記残再生時間と、番組情報管理部１０３が管理している番組情報データに含まれる番組開始時刻、継続時間、現在時刻とを参照し、現在時刻から当該録画番組の再生終了時刻までの間に放送される番組を検索する。検索で抽出される番組は、残再生時間内に放送されているので、視聴不可能と判断された番組である。なお、本実施例においては、放送番組の一部でも視聴が不可能であると判断された番組を視聴不可能な番組としている。しかし、放送番組の放送開始から放送終了までの全ての期間の視聴が不可能な番組を視聴不可能な番組としてもよい。
【００２０】
次に、メモリ１１２は検索結果を保存する（ステップＳ２０３）。具体的には、検索部１０８が、ステップＳ２０２の結果得られた検索結果を放送チャンネル、番組タイトル、番組開始時刻、継続時間を含む形で検索データとして構築し、メモリ１１２に保存する。次に、表示処理部１１１が検索結果リストを作成する（ステップＳ２０４）。具体的には、表示処理部１１１が、ステップＳ２０３の処理でメモリ１１２に保存された検索データを基に検索結果リスト（詳細は後述）を作成する。そして、検索結果リストを表示する（ステップＳ２０５）。すなわち、表示処理部１１１が、ステップＳ２０４の処理で作成された検索結果リストを出力部１０５を介してモニタ１２０に表示させる。
【００２１】
次に、ステップＳ２０５の処理で表示される検索結果リストについて説明する。検索結果リストは検索結果リスト表示画面内に表示される。図３は、検索結果リスト表示画面の一例を示す図である。この検索結果リスト表示画面３００は、録画番組タイトル３０１と、再生時間３０２と、現在時刻３０３と、検索結果リスト３０４と、再生ボタン３０５と、を備えている。録画番組のタイトル３０１は、選択した録画番組のタイトルを示し、そのタイトルの録画番組の再生時間３０２とともに検索結果リスト表示画面３００の上部に表示される。また、現在時刻３０３は、画面３００の右上に表示される。検索結果リスト３０４は、検索部１０８による検索結果を示しており、検索結果リスト表示画面３００の中央部に表示される。なお、検索結果リスト３０４の表示項目には、たとえば番組の開始・終了時刻、放送チャンネル、番組名が含まれる。検索結果が多い場合は、検索結果リスト３０４をスクロールすることにより、検索結果をすべて閲覧することができるようになっている。また、再生ボタン３０５は、検索結果リスト表示画面３００の下部に表示される。再生ボタン３０５を押下すると、ユーザが選択した録画番組の再生を開始する。この検索結果リスト表示画面３００により、ユーザは、選択した録画番組の再生開始前に、当該録画番組の再生中に放送開始予定の番組を確認することができる。
【００２２】
次に、録画番組を等速で再生する通常再生中に、ユーザが番組の早送り操作を行い、録画番組の再生終了時刻が変更になった場合の制御について説明する。図４は、録画番組の再生終了時刻が変更された場合の制御手順を示すフローチャートである。まず、早送り処理を実行する（ステップＳ４０１）。具体的には、ユーザが録画番組再生中に、入力部１１０から番組の早送り指定を行うと、再生制御部１０７が再生中の録画番組の早送り処理を行う。
【００２３】
早送り処理が停止されると、再生制御部１０７が残再生時間を算出する（ステップＳ４０２）。具体的には、録画番組再生中に番組の早送り処理が実行された場合に、再生制御部１０７が録画番組の残再生時間（再生終了予定時刻）を算出する。この算出方法は前述したとおりである。
【００２４】
次に、検索部１０８が残再生時間内に放送される番組を検索する（ステップＳ４０３）。具体的には、検索部１０８が、ステップＳ４０２において算出された残再生時間と、番組情報管理部１０３が管理している番組情報データの番組開始時刻、継続時間、現在時刻とを参照し、早送りされた録画番組の再生終了時刻までに放送される番組を検索する。
【００２５】
次に、比較部１１４がステップＳ４０３の検索結果をメモリに保存されている検索結果と比較する（ステップＳ４０４）。具体的には、比較部１１４が、ステップＳ４０３の検索結果とメモリ１１２に保存してある前の検索結果（図２のステップＳ２０３）とを比較する。そして、比較部１１４が検索結果に差分があるか否かを判定する（ステップＳ４０５）。この処理は、比較部１１４が実行する。検索結果に差分があるとは、前の検索で視聴不可能であった番組が視聴可能となった、もしくは、視聴不可能な番組が増加したことを意味する。ここで、検索結果に差分がない場合（ステップＳ４０５：Ｎｏ）は、本処理を終了する。
【００２６】
一方、ステップＳ４０５において検索結果に差分がある場合（ステップＳ４０５：Ｙｅｓ）は、検索結果をメモリ１１２に保存する（ステップＳ４０６）。具体的には、検索部１０８が、ステップＳ４０３の結果得られた検索結果を放送チャンネル、番組タイトル、番組開始時刻、継続時間を含む形で検索データとして構築し、メモリ１１２に保存する。
【００２７】
次に、表示処理部１１１が検索結果差分リストを作成する（ステップＳ４０７）。具体的には、表示処理部１１１が、ステップＳ４０６の処理でメモリ１１２に保存された検索データと先にメモリ１１２に保存されていた検索データ（図２のステップＳ２０３）との差分をとり、この結果から検索結果差分リスト（詳細は後述）を作成する。
【００２８】
次に、表示処理部１１１が検索結差分リストを表示する（ステップＳ４０８）。すなわち、表示処理部１１１が、ステップＳ４０７の処理で作成された検索結果差分リストを出力部１０５を介してモニタ１２０に表示させてフローに基づく制御が終了する。
【００２９】
次に、ステップＳ４０８の処理で表示される検索結果差分リストについて説明する。検索結果差分リストは検索結果差分リスト表示画面内に表示される。図５は、検索結果差分リスト表示画面の一例を示す図である。この検索結果差分リスト表示画面５００は、録画番組タイトル５０１と、残再生時間５０２と、現在時刻５０３と、検索結果差分リスト５０４と、を備えている。録画番組のタイトル５０１は、再生中の録画番組タイトルを示し、そのタイトルの録画番組の残再生時間５０２とともに検索結果リスト表示画面５００の上部に表示される。また、現在時刻５０３は、検索結果差分リスト表示画面５００の右上に表示される。検索結果差分リスト５０４は、比較部１１４の処理により判明した差分結果を示すものである。この検索結果差分リスト５０４の表示項目には、たとえば視聴可能になった番組の開始・終了時刻、放送チャンネル、番組名が含まれる。これにより、ユーザは、早送り操作中に新たに視聴可能になった番組を確認することができる。つまり、前回の検索では視聴不可能とされた番組に変化が生じた旨の通知をユーザが受けることになる。特殊再生が残再生時間を短縮するものであるときは、図５に示した通り、視聴可能となったことを通知するのが好適である。また、特殊再生が残再生時間を延ばすものであるときは、新たに視聴不可能となった番組が存在することがユーザに伝わるような通知をするのが好適である。なお、差分内容が多い場合は、検索結果差分リスト５０４をスクロールすることにより、差分内容をすべて閲覧することができるようになっている。ここで、視聴可能とは、番組の最初から最後まで視聴できる状態を意味する。しかしながら、番組の前半や後半などの一部でも視聴できる番組の情報を表示する構成とした場合には、一部でも視聴できる状態になったことを視聴可能と定義すれば良い。例えば、普通に再生している場合には一部すら視聴できない番組が、早送り操作によって、後半５分だけ視聴できるようになった場合、後半５分だけ視聴できることをユーザが把握できるようにして表示すれば良い。このためには、検索部１０８が実行する番組の検索条件を一部でも視聴できる状態になった番組も抽出できるように変更すればよい。なお、残時間が短縮された場合は、新たに視聴可能になった放送番組の情報を表示し、残時間が延びた場合は、新たに視聴不可能になった放送番組の情報を表示するように構成するのが好適である。
【００３０】
以上説明したように、本実施形態によれば、録画番組再生中に、ユーザ操作による録画再生終了時刻の変更が生じることに起因して視聴不可能になった放送番組や視聴可能になった放送番組が発生した場合に、その存在をユーザに認識させることが可能となる。
【００３１】
本実施形態では、録画番組の残再生時間が変更になる一例として、ユーザが録画の早送り操作を行った場合を示した。しかしながら、本発明はこれに限定されることはない。録画番組の残再生時間が変更になる特殊再生操作（たとえば一時停止、巻き戻し、倍速再生など）であれば、適用可能である。巻き戻し操作の場合の制御は、図４に示したフローにおける「早送り」を「巻き戻し」に置換すれば済む。また、一時停止操作の場合は、ステップＳ４０１において、一時停止が開始され、その後、一時停止が解除された場合、すなわち、通常再生を再開した場合に、残再生時間を算出するための処理（ステップＳ４０２）を実行すれば良い。その結果、見られる予定だった番組が見られなくなる場合には、図５に示した差分リスト表示画面において、視聴不可能になったことを通知すれば良い。
【００３２】
また、本実施形態では、ユーザに通知する内容として、番組の開始・終了時刻、放送チャンネル、番組名を表示する例を示したが、これに限定されることはない。たとえば、取得した番組情報や、その他ユーザに利便性のある情報を表示することも可能である。
【００３３】
また、本実施形態では、録画番組視聴中に放送される予定の放送番組一覧や、残再生時間が変更になる操作が行われた場合の放送番組の差分内容について、リスト形式にて表示したが、表示形式はこれに限られない。
【００３４】
〔第２の実施形態〕
第１の実施形態では、録画番組の再生時に特殊再生や一時停止が発生したことに応じて視聴が不可能になる放送番組や新たに視聴可能になる放送番組が発生したことをユーザに通知する、例を示した。対して、本実施形態では、ユーザへの通知において、あらかじめ録画予約されている録画予約番組を除いて表示する例を示す。図６は、第２の実施形態にかかる放送受信装置の構成を示すブロック図である。この放送受信装置６００は、図１に示した放送受信装置１００の構成に加え、予約制御部６０１を備えている。
【００３５】
この放送受信装置６００では、制御部１０９が放送受信装置６００全体の制御を司る。以下の処理は、制御部１０９の制御の下で実行される。ユーザにより入力部１１０を介して番組の録画予約が指示されると、予約制御部６０１は、番組情報管理部１０３が管理する前記番組情報データを参照して、番組の録画予約を行う。録画予約された番組情報は、予約制御部６０１がメモリ１１２に保存する。また、予約制御部６０１は、録画予約された番組情報をメモリ１１２より取得する。続いて、予約制御部６０１は、検索部１０８が検索した残再生時間内に放送開始予定の番組情報から、録画予約された番組情報を削除する。そして、その削除結果を表示処理部１１１が所定の表示形態に構築し、出力部１０５を介してモニタ１２０に出力する。この他の動作については、第１の実施形態の場合と同様であるため、ここでは説明を省略する。
【００３６】
次に、本実施形態の放送受信装置６００の制御を説明する。ここでは、放送受信装置６００がすでに録画予約されている番組情報を保持している場合を前提として説明する。図７は、本実施形態の放送受信装置６００における制御手順を示すフローチャートである。
【００３７】
図７に示すフローチャートにおいて、まず、録画管理データを取得する（ステップＳ７０１）。具体的には、ユーザによって、入力部１１０から蓄積した録画番組の再生指示が行われると、第１の実施形態と同様に、再生制御部１０７が指定された録画番組の録画管理データを蓄積部１０６から取得する。なお、前述のように、録画管理データは、前記番組情報データを用いて生成されたものであり、録画する番組の番組名、当該番組の放送時間を含む番組情報と当該番組の録画時間とから構成されている。
【００３８】
次に、録画再生時間内に放送開始予定の番組を検索する（ステップＳ７０２）。具体的には、まず、再生制御部１０７が前記録画管理データから当該録画番組の残再生時間を算出する。次に、検索部１０８が、前記残再生時間と、番組情報管理部１０３が管理している番組情報データに含まれる番組開始時刻、継続時間、現在時刻とを参照し、当該録画番組の再生終了時刻までに放送開始予定の番組を検索する。次に、予約制御部６０１がメモリに保存されている録画予約された番組情報を取得する（ステップＳ７０３）。
【００３９】
次に、予約制御部６０１が検索結果に録画予約された番組情報が含まれているか否かを検出する（ステップＳ７０４）。具体的には、予約制御部６０１が、Ｓ７０２における検索結果に、ステップＳ７０３の処理で取得した録画予約された番組情報が含まれているか否かを検出する。ここで、検索結果に録画予約された番組情報が含まれていない場合（ステップＳ７０４：Ｎｏ）は、ステップＳ７０６へ移行する。
【００４０】
一方、ステップＳ７０４において検索結果に録画予約済の番組情報が含まれている場合（ステップＳ７０４：Ｙｅｓ）は、検索結果から録画予約済の番組情報を削除する（ステップＳ７０５）。具体的には、予約制御部６０１が、Ｓ７０２における検索結果に含まれているステップＳ７０３の処理で取得した録画予約された番組情報と同等の情報を削除する。
【００４１】
次に、予約制御部６０１が録画再生時間内に放送予定の番組情報をメモリ１１２に保存する（ステップＳ７０６）。ここで保存される録画再生時間内に放送予定の番組情報には、あらかじめ録画予約された番組の情報は含まれていない。次に、表示処理部１１１が、ステップＳ７０６の処理でメモリ１１２に保存された情報を基に削除済検索結果リストを作成する（ステップＳ７０７）。
【００４２】
そして、表示処理部１１１が削除済検索結果リストを表示する（ステップＳ７０８）。すなわち、表示処理部１１１が、ステップＳ７０７の処理で作成された削除済検索結果リストを出力部１０５を介してモニタ１２０に表示させる。このリストは第１の実施形態で示した検索結果リストと同様のものでよい。
【００４３】
上述した処理を第１の実施形態において図４を用いて説明したフローのステップＳ４０３の処理にも適用する。つまり、ユーザが早送りや巻き戻しといった、残再生時間が変化する操作を行った場合における検索でも、検索結果から録画予約済の番組情報を削除する。これにより、その操作で視聴可能または視聴不可能になる番組が発生した場合でも、当該番組が録画予約されている番組である場合には、ユーザへの通知を行わないようにすることができる。
【００４４】
以上説明したように、本実施形態によれば、録画予約してある番組を除いて表示することにより、録画予約されている番組まで視聴可能や視聴不可能などと表示することによってユーザが混乱状態に陥ることを防止することが可能となる。なお、本発明はその精神、またはその主要な特徴から逸脱することなく、様々な形で実現することができる。したがって、前述の実施形態はあらゆる点において単なる例示に過ぎず、限定的に解釈してはならない。
【図面の簡単な説明】
【００４５】
【図１】第１の実施形態における放送受信装置の構成を示すブロック図である。
【図２】第１の実施形態の放送受信装置における通常の録画再生時の制御手順を示すフローチャートである。
【図３】検索結果リスト表示画面の一例を示す図である。
【図４】第１の実施形態の放送受信装置において録画番組の再生終了時刻が変更された場合の制御手順を示すフローチャートである。
【図５】検索結果差分リスト表示画面の一例を示す図である。
【図６】第２の実施形態にかかる放送受信装置の構成を示すブロック図である。
【図７】第２の実施形態の放送受信装置における制御手順を示すフローチャートである。
【符号の説明】
【００４６】
１００，６００  放送受信装置
１０１  チューナー
１０２  信号処理部
１０３  番組情報管理部
１０４  デコード部
１０５  出力部
１０６  蓄積部
１０７  再生制御部
１０８  検索部
１０９  制御部
１１０  入力部
１１１  表示処理部
１１２  メモリ
１１３  録画管理データ生成部
１１４  比較部
１２０  モニタ
６０１  予約制御部
【図１】
2010161487.tif 000003
【図２】
2010161487.tif 000004
【図３】
2010161487.tif 000005
【図４】
2010161487.tif 000006
【図５】
2010161487.tif 000007
【図６】
2010161487.tif 000008
【図７】
2010161487.tif 000009